(57)【要約】      （修正有）【課題】多数の小型光源を使用して電球を点滅させることができ、電流量を制御しやすい装飾用照明具を提供する。【解決手段】立体形状の展開図に相当する平面形状のフレキシブル基板１と、その周縁部に接続された２つのコネクタ２ａ，２ｂと、２つのコネクタを接続する１又は２以上のプリント配線３ａ〜３ｃと、プリント配線に接続されたＬＥＤ電球４ａ〜４ｃ又はＥＬと、プリント配線の各々についての通電状態を制御する制御盤５とを備える。フレキシブル基板を前記立体形状に組み立てて利用する。【選択図】図１
0003185423.tif 000002
【実用新案登録請求の範囲】
【請求項１】
立体形状の展開図に相当する平面形状のフレキシブル基板と、
前記平面形状の周縁部において前記フレキシブル基板に接続された２つのコネクタと、
前記フレキシブル基板上において前記２つのコネクタを接続する１又は２以上のプリント配線と、
前記プリント配線に接続されたＬＥＤ電球又はＥＬと、
前記プリント配線の各々についての通電状態を制御する制御盤とを備え、
前記フレキシブル基板を前記立体形状に組み立てたものであることを特徴とする、装飾用照明具。
【請求項２】
前記２つのコネクタが一体化され１つのコネクタとなっていることを特徴とする、請求項１に記載の装飾用照明具。
【請求項３】
前記立体形状が球形であることを特徴とする、請求項１又は２に記載の装飾用照明具。
【請求項４】
前記展開図は、球の両極を結ぶ弧において球面を切断した舟形を８個以上連接したものであることを特徴とする、請求項３に記載の装飾用照明具。
【請求項５】
前記２つのコネクタは、１つが前記連接した舟形のうち一端のものの他の舟形と連接しない赤道位置にあり、他の１つが前記連接した舟形のうち他端のものの他の舟形と連接しない赤道位置にある特徴とする、請求項４に記載の装飾用照明具。
【請求項６】
前記２つのコネクタは、前記フレキシブル基板を前記立体形状に組み立てた時に接する位置に配されていることを特徴とする、請求項１〜５のいずれか１項に記載の装飾用照明具。
【請求項７】
２以上の前記プリント配線を備え、
前記制御盤は、各々の前記プリント配線が異なる時間に通電されるように、各々の前記プリント配線について通電と遮電とを繰り返すものであることを特徴とする、請求項１〜６のいずれか１項に記載の装飾用照明具。
【請求項８】
前記制御盤と前記コネクタとの間に、各々の前記プリント配線に対応する定電流ダイオードを備えることを特徴とする、請求項１〜７のいずれか１項に記載の装飾用照明具。
【請求項９】
前記プリント配線の各々に直列に接続されるＬＥＤ電球又はＥＬの定格電圧の和が１２Ｖ以下であることを特徴とする、請求項１〜８のいずれか１項に記載の装飾用照明具。
【請求項１０】
前記立体形状に組み立てられた前記フレキシブル基板を被覆する容器を備えることを特徴とする、請求項１〜９のいずれか１項に記載の装飾用照明具。
【考案の詳細な説明】
【技術分野】
【０００１】
本考案は、装飾効果を有する装飾用照明具に関するものである。
【背景技術】
【０００２】
クリスマスツリーの電飾など、装飾用照明は広く用いられている。また、パチンコ台、パチスロ台にも装飾用の電球が設けられ、例えば確率変動への入賞を示すために使用されている。
装飾用照明具としては、特許文献１には、球面全体が面状に光る装飾電球装置（装飾用照明具）が開示されている。また、多数の小型電球を使用する装飾用照明具の回路構成上の問題点として、電流又は電圧が大きくなり電源に制約があることが０００６〜０００７段落に指摘されている。
【０００３】
多数の小型電球を使用する装飾用照明具においては、クリスマスツリーの電飾に多く見られるように、小型電球を点滅させることによって装飾効果を増している。
【０００４】
装飾用照明具は、クリスマスツリー等の既存物に付して使用される場合もあるが、装飾用照明具自体の形状によっても装飾効果を得ている場合がある。
【先行技術文献】
【特許文献】
【０００５】
【特許文献１】特開２００３−１０９４０３号公報
【考案の概要】
【考案が解決しようとする課題】
【０００６】
解決しようとする課題は、多数の小型光源を使用する装飾用照明具であって、電流量を制御しやすい回路構成を持ち、電球を点滅させることができ、装飾効果を得られる形状のものを提供することである。
【課題を解決するための手段】
【０００７】
本考案の装飾用照明具は、
立体形状の展開図に相当する平面形状のフレキシブル基板と、
前記平面形状の周縁部において前記フレキシブル基板に接続された２つのコネクタと、
前記フレキシブル基板上において前記２つのコネクタを接続する１又は２以上のプリント配線と、
前記プリント配線に接続されたＬＥＤ電球又はＥＬと、
前記プリント配線の各々についての通電状態を制御する制御盤とを備え、
前記フレキシブル基板を前記立体形状に組み立てたものであることを特徴とする。
【０００８】
プリント配線毎にＬＥＤ電球又はＥＬが直列接続され、制御盤による点滅等の制御が可能である。
立体形状を構成することができる。なお、「展開図に相当する平面形状」は、数学的な意味で厳密な展開図の形状でなくてもよい。組み立てて所定の立体形状に見えるものであればよい。例えば、立体形状としての球形は数学的な意味で厳密な平面展開図が存在しない。しかし、地球儀表面の紙を貼り合せる形態や野球のボールの球面を縫い目で切断した形態などによって、略球形の立体形状を組み立てることができる。かかる形態に基づく形状も「展開図に相当する平面形状」に含む。
ここで「フレキシブル基板」とは、弾性を持つ基盤に限定されず、０．１ｍｍ程度までの厚さの薄い基板であって折曲又は湾曲させて立体形状を構成できるものを含む。
ここで「ＥＬ」とは、エレクトロルミッセンスであり、有機ＥＬであっても無機ＥＬであってもよい。ＥＬの種類に応じて定格電圧、定格電流が異なるが、電源部の設計によって対応可能である。面発光するＥＬによる装飾効果を得ることができる。
【０００９】
本考案の装飾用照明具は、
前記２つのコネクタが一体化され１つのコネクタとなっていることを特徴とする。
【００１０】
プリント配線の両端は、同じ１つのコネクタに接続されても、別々の２つのコネクタに接続されてもよい。２つのコネクタが一体化され１つのコネクタとなってプリント配線の両端を１つのコネクタに接続することで、分かりやすい回路構成となる。なお、「１つのコネクタ」（プリント配線の両端が接続されたコネクタ）を複数設けてもよい。
なお、別々の２つのコネクタに接続する場合には、プリント回線を交差させずに配線する制約に対する自由度が増す。
【００１１】
本考案の装飾用照明具は、
前記立体形状が球形であることを特徴とする。
【００１２】
球形は、各種装飾において好まれる形状である。
【００１３】
本考案の装飾用照明具は、
前記展開図は、球の両極を結ぶ弧において球面を切断した舟形を８個以上連接したものであることを特徴とする。
【００１４】
地球儀表面の紙を貼り合せる形態を展開図とするものである。
ここで「両極」とは、球の１つの直径の両端点（球面上の点）を言う。
【００１５】
本考案の装飾用照明具は、
前記２つのコネクタは、１つが前記連接した舟形のうち一端のものの他の舟形と連接しない赤道位置にあり、他の１つが前記連接した舟形のうち他端のものの他の舟形と連接しない赤道位置にある特徴とする。
【００１６】
コネクタを両端に配置する。球形を組み立てた時に２つのコネクタが接する。
ここで、「赤道位置」とは、２つの極から等距離にある位置を言う。
【００１７】
本考案の装飾用照明具は、
前記２つのコネクタは、前記フレキシブル基板を前記立体形状に組み立てた時に接する位置に配されていることを特徴とする。
【００１８】
コネクタに向けての配線を１本にまとめることができる。配線によって装飾効果が減じてしまうことを予防するものである。
【００１９】
本考案の装飾用照明具は、
２以上の前記プリント配線を備え、
前記制御盤は、各々の前記プリント配線が異なる時間に通電されるように、各々の前記プリント配線について通電と遮電とを繰り返すものであることを特徴とする。
【００２０】
ＬＥＤ電球又はＥＬの点滅を実現する。
【００２１】
本考案の装飾用照明具は、
前記制御盤と前記コネクタとの間に、各々の前記プリント配線に対応する定電流ダイオードを備えることを特徴とする。
【００２２】
ＬＥＤ電球又はＥＬへの電力供給を制御する。ＬＥＤ電球又はＥＬは、電流量を制御することで適切に発光し、寿命が長くなる。
【００２３】
本考案の装飾用照明具は、
前記プリント配線の各々に直列に接続されるＬＥＤ電球又はＥＬの定格電圧の和が１２Ｖ以下であることを特徴とする。
【００２４】
大きな電圧を必要としないようにする。
【００２５】
本考案の装飾用照明具は、
前記立体形状に組み立てられた前記フレキシブル基板を被覆する容器を備えることを特徴とする。
【００２６】
フレキシブル基板を保護する。また、容器表面を装飾して、電飾以外の装飾効果を得ることもできる。
【考案の効果】
【００２７】
多数の小型電球を使用する装飾用照明具であって、電流量を制御しやすい回路構成を持ち、電球を点滅させることができ、装飾効果を得られる形状のものが提供される。
【図面の簡単な説明】
【００２８】
【図１】図１は、装飾用照明具の構造を示す図である。（実施例１）
【図２】図２は、立体形状に組み立てた装飾用照明具を示す図である。（実施例１）
【図３】図３は、制御盤による制御を示す図である。（実施例１）
【図４】図４は、立体形状に組み立てた装飾用照明具を示す図である。（実施例２）
【図５】図５は、装飾用照明具の構造を示す図である。（実施例３）
【図６】図６は、装飾用照明具の構造を示す図である。（実施例４）
【図７】図７は、立体形状に組み立てた装飾用照明具を示す図である。（実施例４）
【考案を実施するための形態】
【００２９】
以下、本考案の実施例を示す。本考案は、以下の実施例に示されるように種々の形状が可能であり、幅広く適用できるものである。また、以下の実施例はＬＥＤ電球を用いるものであるが、ＥＬを用いる場合も同様である。
【実施例１】
【００３０】
図１は、装飾用照明具の構造を示す図である。
フレキシブル基板１は、１２個の舟形から構成される球の展開図の形状である。コネクタ２は２つあり、一端の舟形の赤道位置にコネクタ２ａが、他端の舟形の赤道位置にコネクタ２ｂが設けられている。
コネクタ２ａとコネクタ２ｂとを接続するプリント配線３として、３ａ、３ｂ及び３ｃの３配線が設けられている。プリント配線３ａ、３ｂ及び３ｃによって、それぞれ４つのＬＥＤ電球４ａ、４ｂ及び４ｃが直列に接続されている。
【００３１】
コネクタ２ａとコネクタ２ｂとの間（プリント配線３ａ、３ｂ及び３ｃ）の通電状態を制御する制御盤５が設けられている。制御盤５は、クロックに基づいて通電スイッチのＯＮ／ＯＦＦを行うマイクロチップである。
プリント配線３ａ、３ｂ及び３ｃは、それぞれに対応する回線があり、各回線に定電流ダイオード６が設けられている。
電源７により、電力が供給される。電源７は、電池であってもよく、家庭用等の交流電源（コンセント、又は必要に応じてコンセントに付された電源回路）であってもよい。
【００３２】
ＬＥＤ電球であれば、直列に接続した場合における供給電圧を大きくせずに、相当数の電球を発光させることが可能である。本実施例においては、プリント配線３ａ、３ｂ及び３ｃに接続されるＬＥＤ電球はそれぞれ４つであり、ＬＥＤ電球が一般的なもの（３Ｖの電圧、２０ｍＡの電流で発光するもの）とすると、１２Ｖの電圧を供給すればよい。電池及び家庭用等の交流電源のいずれから供給することも可能である。電圧値は、制御盤５によって可変に制御することも可能であるが、それぞれのプリント配線に供給すべき電圧は一定（直列に接続されるＬＥＤ電球の定格電圧の総和）であるので、その一定値に固定してもよい。
定電流ダイオード６によって、電流が２０ｍＡに調整され、ＬＥＤ電球が保護されている。
以上のとおり、ＬＥＤ電球の定格電圧・定格電流による発光が行われている。
【００３３】
図２は、立体形状に組み立てた装飾用照明具を示す図である。図１に示した装飾用照明具を球形状に組み立て、プラスチック製の容器８に嵌入して被覆したものである。ＬＥＤ電球の発行する光を通すために、容器８は透明である。なお、装飾効果を高めるために、容器８は透光性を有する着色が施されていてもよい。例えば、球形状が地球儀に見えるよう世界地図が描かれている等のことがあってもよい。
【００３４】
コネクタ２ａ及び２ｂは、接しており、全体として１つのコネクタ２として取り扱うことができる。制御盤５、定電流ダイオード６及び電源７を結ぶ結線をまとめてコネクタ２に接続する。
例えば、強度を持ったチューブによってコネクタ２に接続される結線を保護することにより、装飾用照明具をそのチューブから吊下することができる。
【００３５】
図３は、制御盤による制御を示す図である。
制御盤５は、プリント配線３ａ、３ｂ及び３ｃへの通電／遮電（図では「ａ」「ｂ」及び「ｃ」で示す。）を図のように制御する。ＬＥＤ電球４ａ、４ｂ及び４ｃが点滅する。点滅は、ＬＥＤ電球４ａ、４ｂ及び４ｃの時間をずらして行われ、ＬＥＤ電球４ａ、４ｂ及び４ｃが、この順に巡回して点滅する。
かかる点滅によって装飾効果を高めることができる。
なお、図とは異なる点滅パターンとすること、一部のＬＥＤ電球（例えば４ｂ）を点滅させずに常光させること、その他の装飾効果を実現することもできる。
【実施例２】
【００３６】
図４は、立体形状に組み立てた装飾用照明具を示す図である。本実施例において、装飾用照明具の構造は実施例１と同様である。制御盤５、定電流ダイオード６及び電源７が球体内に設けられていることが実施例１との相違点である。制御盤５、定電流ダイオード６及び電源７は図示しない部品によって固定され保持される。
【００３７】
電源７は、アルカリ電池である。１２Ｖの電圧を供給することができる。１つのプリント配線に直列に接続されるＬＥＤ電球の数が４以下であれば、１２Ｖの電圧によって発光させることができる。
なお、制御盤５の動作に要する電力は、制御盤専用電源（図示しない）を用いることができる。または、電源７から電力を供給してもよい。
スイッチ９が設けられており、ＬＥＤ電球４の発光を全て停止させることができる。
【００３８】
装飾用照明具は、外部に電線が露出していない球形である。回転させる、転がす等の動きを持った装飾効果を得ることができる。また、磁力等によって空中を浮遊させる装飾効果を得ることもできる。
【実施例３】
【００３９】
図５は、装飾用照明具の構造を示す図である。図１に比して、プリント配線の状態が相違し、コネクタ２ｃ又は２ｄから開始されるプリント配線がコネクタ２ｃ又は２ｄに戻っている。
コネクタ２ｃ及び２ｄは、図１におけるコネクタ２ａ及び２ｂを一体化して１つのコネクタとしたものである。
【実施例４】
【００４０】
図６は、装飾用照明具の構造を示す図である。図７は、立体形状に組み立てた装飾用照明具を示す図である。
装飾用照明具は立方体であり、サイコロの目（１〜６）の箇所がＬＥＤ電球４で構成されている。
１〜６のそれぞれの目に対応するプリント配線３ａ〜３ｆが設けられている。ＬＥＤ電球の数（１〜６の目に対応）に応じ、プリント配線３ａには３Ｖ、３ｂには６Ｖ、．．．３ｆには１８Ｖの電圧が付加される。
なお、図においてはプリント配線を明示するためサイコロの目が正方形の中心からずれた位置に示されているが、実際にはプリント配線を細くしてサイコロの目を正方形の中心に配することができる。
【００４１】
制御盤５は、ゲーム機から１〜６の目のいずれを発光させるかの指令を受け、その指令に対応するプリント配線に電圧を付加し、他のプリント配線には電圧を付加しない。
むろん、ゲーム機からの指示に対応する目を発光させること以外の制御（例えば１〜６の目をこの順に点滅させる）によって、ゲームと無関係に装飾効果を出すような使用も可能である。
【産業上の利用可能性】
【００４２】
多数の小型電球を使用する装飾用照明具であって、電流量を制御しやすい回路構成を持ち、電球を点滅させることができ、装飾効果を得られる形状のものである。ホテル等の施設における利用が期待される。また、パチンコ台・パチスロ台に利用されることが期待される。
【符号の説明】
【００４３】
１    フレキシブル基板
２    コネクタ
３    プリント配線
４    ＬＥＤ電球
５    制御盤
６    定電流ダイオード
７    電源
８    容器
９    スイッチ
【図１】
0003185423.tif 000003
【図２】
0003185423.tif 000004
【図３】
0003185423.tif 000005
【図４】
0003185423.tif 000006
【図５】
0003185423.tif 000007
【図６】
0003185423.tif 000008
【図７】
0003185423.tif 000009